(57)【特許請求の範囲】
【請求項１】
流体流れの流路にディフューザ形状流路を形成し，前記流路をディフューザ流れの入口側を狭い流路に且つディフューザ流れの出口側を広い流路に形成し，前記狭い流路に連通する体積変動室を配設し，前記体積変動室に振動付勢手段を設け，前記振動付勢手段を付勢して発生した振動によって，前記体積変動室内の流体に圧力変動を発生させ，前記流体の前記圧力変動を前記流体の振動流に変換し，前記流路における前記流体の前記振動流によって前記流路に前記流体の一方向流れを発生させることを特徴とするバルブレスマイクロポンプ。
【請求項２】
前記振動付勢手段は，圧電素子であることを特徴とする請求項１に記載のバルブレスマイクロポンプ。
【請求項３】
前記狭い流路には前記ディフューザ流れの前記入口側として機能し且つノズル流れの出口側として機能する流路管が接続され，また，前記広い流路には前記ディフューザ流れの前記出口側として機能し且つ前記ノズル流れの入口側として機能する流路管が接続されていることを特徴とする請求項１又は２に記載のバルブレスマイクロポンプ。
【請求項４】
前記振動付勢手段を付勢して前記流体に前記振動流を与えると，前記流体は，前記ディフューザ流れよりも流路抵抗が低い前記ノズル流れで流れ，前記広い流路から前記狭い流路へと搬送されることを特徴とする請求項３に記載のバルブレスマイクロポンプ。
【請求項５】
前記圧電素子は，前記体積変動室に直接配設されていることを特徴とする請求項２に記載のバルブレスマイクロポンプ。
【請求項６】
前記体積変動室は，前記流路における前記ディフューザ形状流路に近接した位置で連絡流路によって連通するように配設されていることを特徴とする請求項１〜５のいずれか１項に記載のバルブレスマイクロポンプ。
【請求項７】
前記ディフューザ形状流路のディフューザ開き角度は，１０°〜９０°の範囲であることを特徴とする請求項６に記載のバルブレスマイクロポンプ。
【請求項８】
前記ディフューザ形状流路の前記ディフューザ開き角度は，５０°前後であることを特徴とする請求項７に記載のバルブレスマイクロポンプ。
【発明の詳細な説明】
【技術分野】
【０００１】
この発明は，例えば，医療分野や化学分野で使用される流路に流体を流すためのバルブレスマイクロポンプに関する。
【背景技術】
【０００２】
現在では，ヒトゲノムが全て解明され，テーラーメイド医療の実用化に向け盛んに研究されている。この療法の実現には全ての患者にＤＮＡ検査を行う必要があるが，現在の技術ではこの検査に数日という長期間がかかっている。そこで，マイクロＴＡＳ（μ‐トータル・アナリシス・システム）又は Lab-on-a-chip（ラブ−オン−ア−チィップ）と呼ばれる小型の分析装置の開発が急務となっている。マイクロＴＡＳとは，反応部，計測部，ポンプ部等を小型化し，全てを１つの基板上に設置することによって，これまでより一層短時間の分析を可能にするものである。該小型分析装置は，チップ上に全ての分析システムを搭載し，装置自体の小型化を計ることによって反応時間を抑えて検査時間を短縮するものである。【０００３】
従来，マイクロポンプとしては，一方向流れにのみ開く逆止弁を利用したもの，渦巻きポンプのようなロータ等の回転部を持つターボ型，幾何的に複雑な形状を持つものが開発されてきた。マイクロスケールについては，支配力の変化によって慣性力等の体積力よりも粘性力や摩擦力の面積力が支配的になるために，マイクロポンプに可動部や回転部の機構を備えていると，その部分の損傷が原因となってマイクロポンプの短寿命化が問題になる。また，マイクロポンプが機械的な機構や複雑な形状を備えていると，部品点数が増え，部品や部材の加工やそれらの組立てが困難になるという問題がある。また，マイクロポンプとしては，各種のディフューザ・ノズル形状を用いたものが知られているが，これらを検討すると，ディフューザ・ノズル形状から流路と圧力室の間に急拡大形状，又は急縮小形状に構成されている。流路抵抗差を利用するマイクロポンプについては，これらの形状の流路の組み合わせ形状は，振動流の流れ方向の変化において互いの効果を打ち消し合うために非効率的であることが分かっている。【０００４】
従来，マイクロポンプとして，圧力室又は圧力室につながる流路にダイアフラム面に平行な面内で少なくとも一対の突起ブロックを設けたものが知られている。該マイクロポンプは，一部分が振動するダイアフラムを有するシリコンで構成された第１基板と，該第１基板に対向して接合されたシリコンで構成された第２基板とから成り，第２基板のダイアフラムに対向する位置に圧力室を形成し，該圧力室につながるノズルを圧力室に向かって流路幅が狭くなる形に形成し，圧力室につながるノズルを圧力室から離れるに連れて流路幅が狭くなる形に形成し，両ノズルが最も狭まった位置にダイアフラム面に平行な面に投射した形状が両ノズルの内壁面を延長するように，ノズル中心線に平行に延びる一対の突起部を設けたものである（例えば，特許文献１参照）。【０００５】
また，マイクロポンプとして，簡単な構成で微小量の液体を正逆両方向に搬送するものが知られている。該マイクロポンプは，流路抵抗が差圧に応じて変化する第１流路，差圧の変化に対する流路抵抗の変化の割合が第１流路よりも小さい第２流路，第１流路と第２流路とに接続された加圧室，及び加圧室の内部の圧力を変化させるための圧電素子を有し，加圧室の内部の圧力を圧電素子で変化させることにより，第１流路の流路抵抗と第２流路の流路抵抗との比を異ならせることができ，差圧の変化に対する流路抵抗の変化を利用して，正逆両方向に液体を搬送するものである（例えば，特許文献２参照）。【０００６】
また，マイクロポンプとして，中間層シリコン基盤の液体出口に相当する基板表面に逆止弁を有するものが知られている。該マイクロポンプは，液体の導出口穴と接合面に凹部を有するガラス基板，液体の導入出口穴を有する中間層シリコン基板，及びメサとダイアフラムを有するシリコン基板を積層して完全機密接合した構造から成り，中間層シリコン基板の液体出口側に相当する基板表面に逆止弁を有し，ダイアフラムを可動させ，逆止弁を開閉させるアクチュエータをダイアフラムの下部に配設したものである（例えば，特許文献３参照）。【０００７】
また，従来知られているマイクロポンプとして，ハウジング部とロータ部とを備え，ロータ部がロータ，可動ベーン，ロータと可動ベーンとを連結する板ばねを有し，これらが一体構造に構成されているものである（例えば，特許文献４参照）。
【特許文献１】特開平１０−１１０６８１号公報
【特許文献２】特開２００５−９８３０４号公報
【特許文献３】特開平１１−２５７２３３号公報
【特許文献４】特開２００４−１１５１４号公報
【発明の開示】
【発明が解決しようとする課題】
【０００８】
ところで，医療分野や化学分野において，分析時間の短縮のためにマイクロＴＡＳの開発が進んでいる。マイクロＴＡＳの実現には，マイクロ流体デバイスの開発が必要になる。その要求の中でも流体送りを行うマイクロポンプの開発は，大きな課題の一つである。マイクロＴＡＳに用いられるマイクロポンプには，微小流量を液送する性能が求められている。流路で搬送される流体が，例えば，タンパク質等の粒子を含む二相流の流体である場合には，流路の内部で流体が詰まらない構造であること，マイクロ化に伴う部品や部材の加工，それらの組立て等が容易に行えることが求められている。従来，マイクロポンプとしては，バルブ型やターボ型のものが既に上記のように開発されているが，小型化に伴って微粒子，不純物等の異物が析出し，異物が析出することで，スケール作用による摩擦力の増大によって発生するマイクロポンプが短寿命になったり，複雑な構造のため部品の加工や部品の組立てのコストが大きな問題になり，マイクロポンプの実用化への障害になっていた。【０００９】
そこで，マイクロＴＡＳに適用されるバルブレスマイクロポンプとして，１チップ上に全ての分析システムを搭載し，機器の小型化を図り，反応時間や検査時間を短縮化することに応えるには如何に機器を形成したら良いかの課題がある。本発明者は，マイクロポンプについての上記の問題を解決するため，マイクロＴＡＳに用いられるマイクロポンプを流体力学，流体機械の技術分野から開発を行うことを試みた。本発明者は，上記の現象を考慮して，ヒトの呼吸や高頻度換気法と呼ばれるヒトの肺に対する負担の少ないとされている人工呼吸法である高頻度換気法のメカニズムに着目し，非常にシンプルな流路で流体に振動流を与えることによって，流体をスムーズに送液できることが分かった。この手法は，一般に行われる人工呼吸法と異なり，気道容量の１／１０以下の極めて少量の空気を１分間に数１００回の頻度で振動させることによって肺内部のガス交換を行うものである。これより非対称流路に脈動流を与えれば，流れが発生すると予測することができる。そこで，非対称流路を簡単な構造のディフューザとし，流体に脈動流を与えることで流体の流れを発生させるマイクロポンプとすることを試みた。ディフューザ形状の流路であれば，小型化することが容易に達成でき，またバルブ等の要素を持たないため摩擦によりマイクロポンプが壊れることもない。本発明者は，これらの考えを基にしてディフューザ型バルブレスマイクロポンプを開発して製作し，それの評価を行うこととした。【００１０】
本発明者は，マイクロポンプについての開発に当たって，これまでの予測では，一方向の流れの発生が脈動流による流路の吐き出し，吸い込み流れの時間的・空間的な非対称さが要因であり，渦が流れの誘起に大きく関与していると予測した。しかしながら，今までのマイクロポンプでは，流量が０ｍｌ／ｍｉｎの時に，揚程が１．４ｍｍ又は０ｍｍの時に流量が１．９ｍｌ／ｍｉｎとなり，実用的な性能に乏しかった。その原因として，ディフューザ・ノズルの流路形状は，急拡大形状と急縮小形状とを組み合わせた全体的にクサビ形状であり，これらの２つの形状要素が互いに脈動時の流動抵抗を打ち消しあっていると思料される。また，マイクロポンプは，複数の流体機械要素が組み合わさっているため，流体の送りの定量的な条件整理の妨げになると考えられる。そこで，本発明者は，マイクロポンプとして，これらの問題を満たす流路を開発した。【００１１】
この発明の目的は，上記の問題を解決するため，ヒトの呼吸や人工呼吸法のメカニズムに着目し，マイクロポンプを流体力学や流体機械の技術を応用して開発することであり，よりシンプルなディフューザ形状のみの流路に形成し，該流路における流体に振動流を与えることによって液体と該液体に含まれる微粒子等との流体を広い流路から狭い流路へと搬送するものであり，断面矩形状流路に断面積が滑らかに変化するディフューザ開き角１０°〜９０°のディフューザ形状の流路を設け，該流路に連通する振動付勢手段を備えた体積変動室を設け，振動付勢手段によって体積変動室の流体の圧力変動を流路における流体の振動流に変化させ，流体をスムーズに流路で流動させることを特徴とするバルブレスマイクロポンプを提供することである。
【課題を解決するための手段】
【００１２】
この発明は，流体流れの流路にディフューザ形状流路を形成し，前記流路をディフューザ流れの入口側を狭い流路に且つディフューザ流れの出口側を広い流路に形成し，前記狭い流路に連通する体積変動室を配設し，前記体積変動室に振動付勢手段を設け，前記振動付勢手段を付勢して発生した振動によって，前記体積変動室内の流体に圧力変動を発生させ，前記流体の前記圧力変動を前記流体の振動流に変換し，前記流路における前記流体の前記振動流によって前記流路に前記流体の一方向流れを発生させることを特徴とするバルブレスマイクロポンプに関する。【００１３】
このバルブレスマイクロポンプにおいて，前記振動付勢手段は，圧電素子である。また，前記狭い流路には，前記ディフューザ流れの前記入口側として機能し且つノズル流れの出口側として機能する流路管が接続され，また，前記広い流路には，前記ディフューザ流れの前記出口側として機能し且つ前記ノズル流れの入口側として機能する流路管が接続されているものである。特に，このバルブレスマイクロポンプは，前記振動付勢手段を付勢して前記流体に前記振動流を与えると，前記流体は，前記ディフューザ流れよりも流路抵抗が低い前記ノズル流れで流れ，前記広い流路から前記狭い流路へと搬送されるポンプ機能として作動されるものである。前記振動付勢手段を付勢することとしては，例えば，電圧や電流を印加することで行われる。【００１４】
このバルブレスマイクロポンプでは，前記圧電素子は，前記体積変動室に直接配設されている。更に，前記体積変動室は，前記流路における前記ディフューザ形状流路に近接した位置，言い換えれば，前記狭い流路と前記広い流路との境界で前記狭い流路側に連絡流路によって連通するように配設することが好ましいものである。【００１５】
また，このバルブレスマイクロポンプにおいて，前記ディフューザ形状流路のディフューザ開き角度は，１０°〜９０°の範囲であり，特に，前記ディフューザ形状流路の前記ディフューザ開き角度は，５０°前後の領域であることが好ましく，該領域で最高の流体送り効率を示すことができるものである。
【発明の効果】
【００１６】
このバルブレスマイクロポンプは，上記のように，ディフューザ形状流路が流れ方向によって異なる流路抵抗を示す非対称形状等の流路に構成されており，言い換えれば，同じ力で流体を押し流したとしてもディフューザ流れとその流れに逆方向のノズル流れとでは流体の流量が異なる状態になるが，そこに振動流を与えれば，ディフューザ流れよりもノズル流れが低い流路抵抗を持つため，流れ易い方向即ちノズル方向に流体が流れ，流体を搬送するポンプとしての機能を果たすことができる。即ち，ノズル方向は断面積が小さく変化する方向であって，体積変動室の流体の圧力変動が振動流に変化し，流体がノズル方向にスムーズに流動されることになり，圧電素子等の振動付勢手段を付勢すれば，流体はノズル流れの方向，即ち，広い流路から狭い流路へと流れる。ここでは，ディフューザ流れは狭い流路から広い流路への流体流れであるのに対し，ノズル流れは広い流路から狭い流路への流体流れである。
【図面の簡単な説明】
【００１７】
【図１】この発明によるバルブレスマイクロポンプの一実施例を示し，その動作原理示す説明図である。
【図２】図１のバルブレスマイクロポンプにおけるＡ−Ａ断面を示す断面図である。
【図３】図２のバルブレスマイクロポンプにおける符号Ｂ領域の拡大図である。
【図４】マイクロポンプについてのディフューザ流れを示す説明図である。
【図５】マイクロポンプについてのノズル流れを示す説明図である。
【図６】このバルブレスマイクロポンプの動作概要を示す説明図である。
【図７】このバルブレスマイクロポンプを組み込んだ性能試験装置の一例を示す説明図である。
【図８】バルブレスマイクロポンプにおいて，種々のディフューザ開き角度における流量に対する揚程の関係を示すポンプ性能曲線である。
【図９】バルブレスマイクロポンプにおいて，ディフューザ開き角度に対する最大流量の関係を示す曲線である。
【図１０】バルブレスマイクロポンプにおいて，駆動周波数と流量との関係を示す周波数応答線図である。
【図１１】バルブレスマイクロポンプにおいて，流路に体積変動室を連通する連絡流路の設置位置に対する流量の関係を示す線図である。
【符号の説明】
【００１８】
２    流路
３    ディフーザ流れの入口（＝ノズル流れの出口）
４    ディフューザ流れの出口（＝ノズル流れの入口）
５    狭い流路
６    広い流路
７    圧電素子
８    体積変動室
９    連絡流路
１０  流体
１２  ディフューザ形状流路
１３  流路形成板
１４，１５  流路管
２０  マイクロポンプ
ａ    ディフューザ開き角度
【発明を実施するための最良の形態】
【００１９】
以下，図面を参照して，この発明によるバルブレスマイクロポンプの実施例について説明する。この発明によるバルブレスマイクロポンプは，流路２の形状に特徴を有するものであって，例えば，非対称形状であるディフューザ・ノズル形状の流路抵抗差を用いて流れを発生させ，バルブ等の可動部を流路内部に設けることなく，可動部を設けないことにより従来のマイクロポンプの問題であった可動部の損傷等の問題を避け，マイクロポンプの高寿命化を達成したものである。図１に示すように，このバルブレスマイクロポンプは，特に，アクリル板，ステンレス板等の流路形成部材１によって形成された流体流れの流路２においてその途中をステンレス板で形状が形成された非対称形状のディフューザ形状流路１２に形成し，流路２はディフューザ形状流路１２を挟んでディフューザ流れの入口３（＝ノズル流れの出口）側を狭い流路５に且つディフューザ流れの出口４（＝ノズル流れの入口）側を広い流路６に形成し，狭い流路５に連絡流路９を通じて連通した体積変動室８を設け，体積変動室８に振動付勢手段として圧電素子７を設けたことを特徴とする。ディフューザ形状流路１２の長さは，図３において，符号ＬD で示されている。流路２は，図１では，２枚のアクリル板と１枚のステンレス板から構成され，ディフューザ流れの入口３を形成するディフューザ入口管の流路管１４を取り付ける入口孔２２とディフューザ流れの出口４を形成するディフューザ出口管の流路管１５を取り付ける出口孔２３とを形成した流路部材１Ａ，ディフューザ形状流路１２の形状に形成された流路形成板１３，及び連絡流路９を形成した流路部材１Ｂを重ね合わせて形成されている。ここで，ノズル流れ（流量Ｑ1 ）の場合には，ディフューザ流れ（流量Ｑ2 ）と逆方向であるので，ディフューザ入口管の流路管１４はノズル出口管として機能し，ディフューザ出口管の流路管１５はノズル入口管として機能する。また，上記にように，流路２を２枚のアクリル板と１枚のステンレス板とから形成するのではなく，例えば，流路２を流路形成板１３を流路部材１Ａ又は流路部材１Ｂのいずれかと一体構造に形成して２枚の板から形成することもできる。【００２０】
このバルブレスマイクロポンプは，特に，上記構成において，振動付勢手段を付勢して，具体的には，圧電素子７に電圧を印加して発生した振動によって，体積変動室８内の流体１０に圧力変動を発生させ，流体１０の圧力変動を連絡流路９を通じて流路２における流体１０の振動流に変換し，振動流によって流路２に流体１０の一方向流れ等の流れを発生させることを特徴とするものである。このバルブレスマイクロポンプは，特に，振動付勢手段の圧電素子７に電圧を印加して，流体１０に振動流を与えると，流体１０は，ディフューザ流れよりも流路抵抗が低いノズル流れで流れるようになり，広い流路６から狭い流路５へと搬送されるポンプ機能として作動されるものである。このバルブレスマイクロポンプは，具体的には，体積変動室８を所定のディフューザ開き角度ａを持つディフューザ・ノズル形状流路１２の断面積の小さい一端部１１から０ｍｍ〜１０ｍｍの距離ＬH の位置で流路２から分岐した連絡流路９で連通し，体積変動室８に圧電素子７を直接取り付け，圧電素子７に電圧を一定の周波数を持つ方形波で印加することにより体積変動室８内の流体１０に対して振動を発生させ，その振動により体積変動室８の流体１０に発生した圧力変動を流路２における振動流に変化させ，流路２を流れる流体１０にスムーズな流動を発生させるものである。【００２１】
また，このバルブレスマイクロポンプは，ディフューザ・ノズル形状のみの非常にシンプルな流路構造であり，従来のものに比較して部品点数を大幅に減らし，これまでより良好な部品の加工や組立ての容易性を実現させることができる。更に，このバルブレスマイクロポンプは，バルブレス機構であるため，小型分析装置に用いる場合に，粒子等のサンプルがバルブに詰まってスケール等の異物として析出することがなく，その性能を低下させることがない。このバルブレスマイクロポンプは，流路２の一部をディフューザ・ノズル形状のみのシンプルな形状とした点で従来のマイクロポンプとは形状が大きく異なっている。従来のディフューザ・ノズル形状のマイクロポンプは，ディフューザ・ノズル形状と流路の境界に急拡大形状や急縮小形状を有し，体積変動室がこれらの形状の中心に設置されていた。このバルブレスマイクロポンプは，これらの複雑な形状を廃し，体積変動室８をシンプルなディフューザ形状流路１２の外側に設置することにより，体積変動室８に圧力変動を発生させることによって高効率の流体送りを可能にしたものである。【００２２】
このバルブレスマイクロポンプは，ディフューザ型の構造を有しており，図６には，このバルブレスマイクロポンプの動作原理を示している。このバルブレスマイクロポンプは，流路２の一部に流れ方向に断面積が変化する部分を設け，体積変動室８の体積変動部からの流れをその非対称形状のディフューザ形状流路１２の外部で流出入させる。ここでは，図４に示すように，ディフューザ形状流路１２における流れ方向に従って流路断面積が滑らかに広がる流路のことをディフューザ流れと呼び，また，図５のような逆方向の場合はノズル流れと称している。ディフューザ流れとノズル流れについて，両者の相違は流れ方向であるが，加えて，ディフューザ形状流路１２が同じ形状であっても流れ方向によって異なる流動抵抗を示している。通常，ディフューザ流れの流動抵抗は，ノズル流れの流動抵抗より大きくなっている。【００２３】
図４と図５に示すように，一定の開き角度ａを持ったディフューザ形状流路１２において，流体１０の流れに等しい流れエネルギを与えたときのノズル流れの流量をＱ1 （図５），ディフューザ流れ（図４）の流量をＱ2 とする。そして，時間０〜Ｔ／２までをノズル流れ，Ｔ／２〜Ｔまでをディフューザ流れといった脈動流を与えるとき，１周期（Ｔ時間）の流量Ｑは，下記の数１で示す式に表される。【００２４】
【数１】
0004779126.tif 000002
ノズル流れよりディフューザ流れの方が大きな流動抵抗を示すため，このときの輸送方向はノズル方向と予測できる。図６に示すように左端からの流れを流路下部の体積変動部より送り込む。【００２５】
図１〜図６を参照して，この発明によるバルブレスマイクロポンプを説明する。図１に示すように，このバルブレスマイクロポンプは，流体流れの流路２において非対称形状のディフューザ形状流路１２を形成し，流路２は，ディフューザ形状流路１２を挟んでディフューザ流れの出口３（＝ノズル流れの入口）側を狭い流路５に，また，ディフューザ流れの入口４（＝ノズル流れの出口）側を広い流路６に形成し，狭い流路５に連絡流路９を通じて連通した体積変動部を構成する体積変動室８を設け，体積変動室８に振動付勢手段である圧電素子７を直接配設し，圧電素子７に電圧を印加して発生した振動によって，体積変動室８内の流体１０に圧力変動を発生させ，流体１０の圧力変動を流体１０に振動流に変換し，その振動流によって流路２における流体１０にスムーズな流れを発生させることを特徴としている。【００２６】
次に，図１〜図７を参照して，このバルブレスマイクロポンプの実験について説明する。まず，上述の構想によってポンプとして機能するかを予備実験にて実証を行う。流路形成板１３は，厚さ１ｍｍのステンレス板をワイヤ放電加工により流路２の形状に形成されたものであり，流路形成板１３の上下面に，上蓋であるアクリル板の流路形成部材１Ａと下蓋であるアクリル板の流路形成部材１Ｂとを重ねて流路２を形成した。流路形成部材１Ａにディフーザ流れの出口孔２２（＝ノズル流れの入口孔）とディフーザ流れの入口孔２３（＝ノズル流れの出口孔）を形成し，また，流路形成部材１Ｂに連結通路９を形成した。流路形成部材１Ａの出口孔２２にガラス製のディフューザ入口管１４（＝ノズル出口管）を取り付け，入口孔２３にガラス製のディフューザ出口管１５（＝ノズル入口管）を取り付けた。また，アクリル板の流路形成部材１Ｂにリング２４を取り付け，リング２４にピエゾ素子の圧電素子７を接着し，流路形成部材１Ｂ，リング２４及び圧電素子７で囲まれる空所を体積変動部となる体積変動室８に形成した。これらのアクリル板とステンレス板とを積層して，これらをボルト・ナットで固定した。【００２７】
このバルブレスマイクロポンプは，駆動時には，ファンクションジェネレータから一定の周波数を持つ方形波を増幅回路によって増幅し，その信号を圧電素子７即ちピエゾ素子に与えた。このバルブレスマイクロポンプは，特に，図１と図２に示すとおりである。また，このバルブレスマイクロポンプに与える条件として，周波数を３５Ｈｚ，ディフューザ開き角度ａを５０°，用いる液体を水とした。流路２を流れる流量Ｑを測定する場合は，マイクロポンプ２０を垂直にし，一定時間に流出する水をメスシリンダで受け止めた。揚程Ｈを測る場合はマイクロポンプ２０を水平にし，ディフューザ入口管１４の流入口とディフューザ出口管１５の流出口の水頭差を測った。結果として，マイクロポンプ２０の流量Ｑが０ｍｌ／ｍｉｎの揚程Ｈは４３ｍｍとなり，また，揚程０ｍｍの流量Ｑは１．７ｍｌ／ｍｉｎとなった。マイクロポンプ２０における流路２におけるディフューザ形状のみを持つディフューザ形状流路１２は，マイクロポンプ２０に適していることが確認された。【００２８】
このバルブレスマイクロポンプの性能試験は，図７に示す性能試験装置を用いて行い，その結果は，次のとおりである。
性能試験装置に使用したマイクロポンプ２０は，予備実験に用いたものと同じ構成である。マイクロポンプ２０には，ディフューザ入口管１４とディフューザ出口管１５が接続されている。マイクロポンプ２０の性能試験に当たってはストップウォッチ２１を用いて行った。ディフューザ入口管１４の所定の間隔Ｌにおいて，ＣＣＤ（チャージ・カップルド・ディバイス）カメラ１９が設置され，ＣＣＤカメラ１９で得た情報はカメラ増幅器１８で増幅されてＶＣＲ（ビデオ・カセット・レコーダ）１７に入力される。ＶＣＲ１７の情報はモニタ１６で表示される。性能試験装置で得られた各値は以下のように計測した。揚程Ｈは，上側のガラス製の流路管１４と下側のガラス製の流路管１５との間の距離ｈの垂直方向の上下間距離とし，性能試験装置の傾き角度θを変えることで流路管１４と流路管１５との高さ即ち揚程Ｈを調節した。この時，性能試験装置の傾き角度をθ，上下の流路管１４，１５の距離をｈとした時，揚程はＨ＝ｈ・ｓｉｎθとなる。流量Ｑは，流出側のガラス管にマーキングされた１００ｍｍ区間を液界面が走り抜ける様子をストップウォッチ２１と一緒にＣＣＤカメラ１９で記録し，その時間ｔと区間の距離Ｌ，ガラス管断面積Ａから流量Ｑを求めた。つまり，流量は，Ｑ＝Ｌ・Ａ／ｔとなる。周波数ｆはファンクションジェネレータで設定した周波数を用いた。【００２９】
次に，このバルブレスマイクロポンプの流量‐揚程特性曲線について，図８を参照して説明する。
ディフューザ入口管１４とディフューザ出口管１５とが成す傾き角度θを変化させて流量Ｑと揚程Ｈの関係を計測した。与えた条件は，周波数を６０Ｈｚ，電圧を２５０Ｖ，用いた流体は水である。ディフューザ開き角度ａは１０°，３０°，５０°，７０°，９０°のそれぞれについて行った。性能試験装置の角度θを変化させることによって揚程を０ｍｍから２ｍｍ刻みで上げてそのときの流量Ｑを計測した。計測結果を図８に示す。図８に示すように，流量Ｑと揚程Ｈはほぼ直線の関係にあることが分かった。即ち，ディフューザ開き角度ａは１０°〜９０°の範囲で所望の流れが発生することが分かった。特に，ディフューザ形成流路１２のディフューザ開き角度ａは，５０°の場合（四角印しで示す）が流量Ｑが最も効率良く流体送りを達成できることが確認できた。また，傾きの角度θが大きくなるに従って，流量Ｑが小さくなることが確認できた。従って，このバルブレスマイクロポンプは，ディフューザ開き角度ａが５０°近傍で揚程Ｈが低い方が流量Ｑが大きくなることが確認できた。また，図９には，ディフューザ開き角度ａと最大流量Ｑとの関係が示されている。ディフューザ開き角度ａが５０°〜７０℃の領域で流量Ｑが２ｍｌ／ｍｉｎ以上となって最高値を示した。従って，図８の流量‐揚程特性曲線と図９のディフューザ開き角度−最大流量の関係線図から考慮すると，このバルブレスマイクロポンプについては，ディフューザ形状流路１２は，ディフューザ開き角度ａが５０°に形成されている場合が最も効率良く流体送りができることが確認できた。【００３０】
また，このバルブレスマイクロポンプの流量‐周波数特性について図１０を参照して説明する。
マイクロポンプ２０の周波数特性を調べるために，周波数を変化させたときの流量Ｑを計測した。マイクロポンプ２０に与えた条件は，ディフューザの開き角度ａを５０°，電圧を２５０Ｖ，揚程Ｈを０ｍｍ，用いた流体は水である。なお，このときの揚程０ｍｍは静止状態から毛細管現象で界面が上昇した高さを差し引いて０（ｍｍ）となるようにした。ファンクションジェネレータで周波数を２Ｈｚ刻みで変化させ，流量Ｑを計測した。計測結果を図１０に示す。図１０に示すように，４０Ｈｚから６０Ｈｚあたりに流量Ｑの１つの大きな極大値を持つ分布となった。また，２０Ｈｚ付近にも流量Ｑの小さな極値が確認できた。このことから，マイクロポンプ２０では，流量Ｑを増加させるため周波数を４０Ｈｚ〜６０Ｈｚに設定することが好ましいことが分かった。【００３１】
更に，図１１には，このバルブレスマイクロポンプについて，体積変動部を構成する体積変動室８と流路１０とを連絡する連絡通路９の形成位置と，流量Ｑとの関係が示されている。
図１１に示すように，体積変動室８は，流路１０に連通する連絡流路９を流路２におけるディフューザ形状流路１２に可及的に近接した位置に形成することが好ましいことが分かった。即ち，連絡流路９をディフューザ形状流路１２の端部１１に接して設けることによって，流量Ｑが最高値，９ｍｌ／ｍｉｎを示した。また，連絡流路９を，ディフューザ形状流路１２の途中や広い流路６に位置させて流路２と体積変動室８を連絡した場合には流量Ｑは最低であり，体積変動室８を設けた効果は無かった。従って，連絡流路９は，狭い流路５と広い流路６との境界の狭い流路５側に設けることが有効であり，重要であることが分かる。また，体積変動室８は，ディフューザ形状流路１２に近接した狭い流路５に連通させることが好ましいことが確認できた。【００３２】
このバルブレスマイクロポンプは，上記のとおりであり，シンプルなディフューザ形状を持つバルブレスマイクロポンプの性能試験について解明した。これまでのディフューザ型バルブレスマイクロポンプから改良を加え，より高い性能をもつマイクロポンプを作製することができ，また，マイクロポンプ２０の性能試験を行うことによって，マイクロポンプが持つ性能が明らかになった。
【産業上の利用可能性】
【００３３】
この発明によるバルブレスマイクロポンプは，小型で微量操作を可能にし，マイクロＴＡＳ，人工膵臓，人工呼吸等の医療機器，生命工学，化学実験，測定装置等に組み込むことができ，医療分野，バイオ分野において幅広く活用することができ，また，ＣＰＵ等の冷却用ポンプ，マイクロ燃料電池の燃料供給ポンプとして適用することができる。
【図１】
0004779126.tif 000003
【図２】
0004779126.tif 000004
【図３】
0004779126.tif 000005
【図４】
0004779126.tif 000006
【図５】
0004779126.tif 000007
【図６】
0004779126.tif 000008
【図７】
0004779126.tif 000009
【図８】
0004779126.tif 000010
【図９】
0004779126.tif 000011
【図１０】
0004779126.tif 000012
【図１１】
0004779126.tif 000013